(57)【要約】【課題】巻取軸部材の円滑な回転を維持することが可能な巻取装置を提供する。【解決手段】巻取装置１は、スクリーン２の一端（例えば基端縁２ｂ）を留めた巻取軸部材３と、該巻取軸部材３の回転軸ＡＸ１を中心として該巻取軸部材３の端部（例えば端部材３２）を回転可能に支持する回転支持軸部材４と、該回転支持軸部材４を傾けることが可能に保持する軸保持部５と、を備える。巻取装置１は、軸保持部５に対して相対的に回転支持軸部材４が巻取軸部材３の回転軸ＡＸ１を中心として回転することを規制する規制構造６と、回転支持軸部材４に対して相対的にスクリーン２を巻き取る方向（例えば巻取方向ＤＲ１）へ巻取軸部材３を付勢する付勢部７と、を備えてもよい。【選択図】図８
2018002031.tif 000002
【特許請求の範囲】
【請求項１】
スクリーンの一端を留めた巻取軸部材と、
該巻取軸部材の回転軸を中心として該巻取軸部材の端部を回転可能に支持する回転支持軸部材と、
該回転支持軸部材を傾けることが可能に保持する軸保持部と、を備える、巻取装置。
【請求項２】
前記軸保持部に対して相対的に前記回転支持軸部材が前記巻取軸部材の回転軸を中心として回転することを規制する規制構造と、
前記回転支持軸部材に対して相対的に前記スクリーンを巻き取る方向へ前記巻取軸部材を付勢する付勢部と、を備える、請求項１に記載の巻取装置。
【請求項３】
前記回転支持軸部材は、前記巻取軸部材の回転軸に沿って突出した本体部と、該本体部よりも太くされて前記軸保持部に挿入された凸部と、を有し、
前記軸保持部は、前記凸部が前記巻取軸部材の軸方向へ出ないように挿入された凹部を有し、該凹部から出た前記本体部を傾けることが可能となるように前記回転支持軸部材を支持する、請求項１又は請求項２に記載の巻取装置。
【請求項４】
前記回転支持軸部材は、前記巻取軸部材の軸方向へ相対移動可能に該巻取軸部材の端部に挿入されて該巻取軸部材の端部を回転可能に支持する、請求項１〜請求項３のいずれか一項に記載の巻取装置。
【発明の詳細な説明】
【技術分野】
【０００１】
本発明は、自動車の車室内等に設置される巻取装置に関する。
【背景技術】
【０００２】
車両用ドア等には、防眩のために直射日光を遮ったり、車内のプライバシーを確保したりする目的でサンシェード装置が設けられる。車両用ドアのサンシェード装置は、多くの場合、非使用時にドア本体内部に遮光スクリーンを巻き取って収納している。使用時、スクリーンは、ウインドウガラスに沿って上方へ引き出されて、スクリーン先端部がドア側の係合部に係止される等して使用位置に保持され、ウインドウガラスを覆う。
【０００３】
特許文献１に示される車両用ウインドウシェード装置は、ウインドウを遮蔽可能なウインドウシェード（スクリーンの例）と、該ウインドウシェードを巻取可能な筒状の巻取シャフト（巻取軸部材の例）と、該巻取シャフトの両端に挿入されて該巻取シャフトの両端を回転可能に支持する一対の支持シャフトと、これらの支持シャフトがねじ止め固定されたアルミニウム製のケースと、を備えている。従って、一対の支持シャフトは、向きが変わらないようにアルミニウム製のケースに固定されている。
【先行技術文献】
【特許文献】
【０００４】
【特許文献１】特開２０１３−４３５９３号公報
【発明の概要】
【発明が解決しようとする課題】
【０００５】
ケースの材料として金属の代わりに樹脂材料を用いると、ケースを軽量化することができるものの、熱や荷重等によりケースが変形し易くなることがある。ケースが変形すると、ケースに固定された支持シャフトの向きが変わり、支持シャフトに対して巻取シャフトが回転する際の摩擦力が大きくなり、ウインドウシェードをケースから引き出し難くなったりウインドウシェードが巻取シャフトに巻き取られ難くなったりする。
尚、上述した問題は、トノカバー装置等、サンシェード装置以外の巻取装置にも存在することがある。
【０００６】
本発明は、巻取軸部材の円滑な回転を維持することが可能な巻取装置を提供する目的を有している。
【課題を解決するための手段】
【０００７】
本発明の巻取装置は、スクリーンの一端を留めた巻取軸部材と、
該巻取軸部材の回転軸を中心として該巻取軸部材の端部を回転可能に支持する回転支持軸部材と、
該回転支持軸部材を傾けることが可能に保持する軸保持部と、を備える、態様を有する。
【発明の効果】
【０００８】
本発明によれば、巻取軸部材の円滑な回転を維持することが可能な巻取装置を提供することができる。
【図面の簡単な説明】
【０００９】
【図１】巻取装置を組み付けた車両用ドアの例を車室側から模式的に示す斜視図。
【図２】巻取装置の例を模式的に示す横断面図。
【図３】巻取装置の例を模式的に示す図。
【図４】巻取軸本体と端部材と回転支持軸部材とを例示する分解斜視図。
【図５】別の角度から端部材と巻取軸本体とを例示する分解斜視図。
【図６】図６Ａは巻取装置の要部を例示する斜視図、図６Ｂは回転支持軸部材と軸保持部との組み付け状態の例を示す斜視図。
【図７】図７Ａは回転支持軸部材の要部を例示する斜視図、図７Ｂは第一軸保持部材の例を示す斜視図、図７Ｃは第二軸保持部材の例を示す斜視図。
【図８】図８Ａは軸保持部が回転支持軸部材を傾けることが可能に保持する様子を模式的に例示する図、図８Ｂは巻取装置の要部を模式的に例示する図、図８Ｃはケースが変形した状態の巻取装置の要部を模式的に誇張して例示する図。
【図９】図９Ａはケースが変形した状態の巻取装置の例を模式的に誇張して示す図、図９Ｂは比較例においてケースが変形した状態の巻取装置の要部を模式的に誇張して示す図。
【発明を実施するための形態】
【００１０】
以下、本発明の実施形態を説明する。むろん、以下の実施形態は本発明を例示するものに過ぎず、実施形態に示す特徴の全てが発明の解決手段に必須になるとは限らない。
【００１１】
（１）本技術の概要：
まず、図１〜９に示される例を参照して本発明に含まれる技術の概要を説明する。尚、本願の図は模式的に例を示す図であり、これらの図に示される各方向の拡大率は異なることがあり、各図は整合していないことがある。
【００１２】
［態様１］
本技術の一態様に係る巻取装置１は、スクリーン２の一端（例えば基端縁２ｂ）を留めた巻取軸部材３と、該巻取軸部材３の回転軸ＡＸ１を中心として該巻取軸部材３の端部（例えば端部材３２）を回転可能に支持する回転支持軸部材４と、該回転支持軸部材４を傾けることが可能に保持する軸保持部５と、を備える。これにより、巻取軸部材３の端部（３２）を回転可能に支持する回転支持軸部材４の向きが変わり難くなり、回転支持軸部材４に対して巻取軸部材３が回転する際の摩擦力が大きくなり難くなる。従って、本態様は、巻取軸部材の円滑な回転を維持することが可能な巻取装置を提供することができる。
【００１３】
ここで、スクリーンは、シェード、ブラインド、シート、等を含む概念であり、透過光の少なくとも一部を遮るものであればよく、日除け用に限定されない。スクリーンには、網目を有するスクリーン、網目の無いシート、等が含まれ、具体的には、サンシェード、トノカバー、等が含まれる。
【００１４】
［態様２］
図７Ａ〜Ｃ等に例示するように、本巻取装置１は、前記軸保持部５に対して相対的に前記回転支持軸部材４が前記巻取軸部材３の回転軸ＡＸ１を中心として回転することを規制する規制構造６を備えてもよい。また、本巻取装置１は、前記回転支持軸部材４に対して相対的に前記スクリーン２を巻き取る方向（例えば巻取方向ＤＲ１）へ前記巻取軸部材３を付勢する付勢部７を備えてもよい。本態様は、スクリーンの引き出し及び巻き取りをさらに円滑にすることが可能な巻取装置を提供することができる。
【００１５】
［態様３］
図８Ａ等に例示するように、前記回転支持軸部材４は、前記巻取軸部材３の回転軸ＡＸ１に沿って突出した本体部４１を有してもよい。また、前記回転支持軸部材４は、前記本体部４１よりも太くされて前記軸保持部５に挿入された凸部４２を有してもよい。さらに、前記軸保持部５は、前記凸部４２が前記巻取軸部材３の軸方向Ｄ１へ出ないように挿入された凹部５３を有してもよい。加えて、前記軸保持部５は、前記凹部５３から出た前記本体部４１を傾けることが可能となるように前記回転支持軸部材４を支持してもよい。本態様は、巻取軸部材の円滑な回転を維持する好適な巻取装置を提供することができる。
【００１６】
［態様４］
図３等に例示するように、前記回転支持軸部材４は、前記巻取軸部材３の軸方向Ｄ１へ相対移動可能に該巻取軸部材３の端部（３２）に挿入されてもよく、この状態で前記巻取軸部材３の端部（３２）を回転可能に支持してもよい。本態様は、巻取軸部材を回転可能に支持する構造が小さくて済む。
【００１７】
（２）巻取装置の具体例：
図１は、車両用巻取装置１としてサンシェード装置が組み付けられた自動車の室内の例を模式的に示し、ドアトリム８０５の上部を切断して巻取装置１を示している。図１では、サンシェード装置が組み付けられたドア８０２としてサイドドアの例を模式的に示しているが、ドア８０２は、後部ドア、ルーフドア、等でもよい。図１に示す自動車８００は、道路上で使用されるように設計及び装備された路上走行自動車とされ、前席及び後席を囲む車室Ｃ１が形成された乗用自動車とされている。車室Ｃ１の側面部には、ドア８０２及びピラー８０３が配置されている。図１に示す巻取装置１は、二点鎖線で例示するように、ハーフケース５０から引き出されたスクリーン本体２ａによりサイドウインドウ（ドアウインドウ８０６）をほぼ覆うことが可能である。むろん、サンシェード装置を取り付け可能な部位は、開閉可能なドアに限定されず、開閉不能な天井部等でもよい。巻取装置は、遮蔽装置やシェード装置やブラインド装置と呼ばれるものを含む。
【００１８】
ドア８０２には、ドアパネル８０４、ドアトリム８０５、ドアウインドウ８０６、フック部８１０、等が設けられている。ドアパネル８０４は、鋼板製といった金属製の車体パネルの一種である。トリム８０５は、パネル８０４の車室側に装着される内装材であり、熱可塑性樹脂といった樹脂材料を射出成形等により成形した成形品、樹脂材料の内装基材に不織布、織物、編物、といった表皮材を積層したもの、等を用いることができる。図１に示すトリム８０５は、乗員が姿勢を楽に保つために肘を掛けることが可能な形状のアームレスト８０７が設けられている。このアームレスト８０７よりも上側においてトリム８０５の裏面に巻取装置１が配置されている。フック部８１０は、ウインドウ８０６よりも上側においてパネル８０４に固定されている。
【００１９】
図２は、巻取装置１の横断面を模式的に例示している。図３の上段には、ケース５０の図示を省略した状態の巻取装置１を模式的に例示している。図３の中段には、軸保持部５を透視し背後にある部位の図示を省略して図３の上段のＡ−Ａ切断線における巻取装置１の断面を例示している。さらに、図３の下段には、スライド部材７２の側面を例示している。
ここで、図１〜３において、符号ＡＸ１は巻取軸部材３の回転軸を示し、符号Ｄ１は巻取軸部材３の軸方向Ｄ１を示し、符号Ｄ１ｉは軸方向内側を示し、符号Ｄ１ｏは軸方向外側を示している。尚、「軸方向内側」及び「軸方向外側」は、方向を指す用語ではなく、場所を指す用語である。また、符号Ｄ２１は可撓性のスクリーン本体２ａをケース５０に収容する方向である収容方向を示し、符号Ｄ２２はスクリーン本体２ａをケース５０から引き出す方向である引出方向を示し、符号Ｄ１１はトリム８０５からケース５０に向かうケース方向を示し、符号Ｄ１２はケース５０からトリム８０５に向かうトリム方向を示し、符号ＤＲ１はスクリーン本体２ａの巻取方向を示し、符号ＳＰ１は巻取軸部材３の収容空間を示している。
【００２０】
スクリーン２は、遮蔽シート、ブラインドシート、等とも呼ばれ、透過光の少なくとも一部を遮る。スクリーン２のスクリーン本体２ａは、巻取軸部材３の外周面（巻取軸本体３１の外周面３１ｏと必要に応じて端部材３２の外周面３２ｏ）に巻き取り可能な柔軟性を有する薄い材料で形成され、可撓性を有する軟質材料を所要の形状に裁断することにより形成される。これにより、スクリーン本体２ａは、所定の収容位置Ｐ１から所定の引出位置Ｐ２まで引き出し可能である。スクリーン本体２ａは、網目を有する材料でもよいし、網目の無いシート状材料でもよく、ポリエステル織物といった布、樹脂材料を用いたレザー、樹脂材料を成形したシート、等を用いることができる。スクリーン本体は、半透明シート、紫外線を遮断する透明シート、等でもよい。紫外線等も、透過光に含まれる。
【００２１】
スクリーン２の引出端２０には、スクリーン本体２ａよりも硬質、且つ、肉厚のガーニッシュ２１が形成されている。ガーニッシュ２１は、軸方向Ｄ１に沿った長手方向の中間部に操作部２５を有し、この操作部２５を挟む二箇所に引掛部２２を有している。例えば、スクリーン本体２ａが収容位置Ｐ１にある状態で操作部２５を手で摘む等してケース５０からスクリーン本体２ａを引き出し、ドア８０２のフック部８１０にガーニッシュ２１の引掛部２２を引っ掛けると、ドアウインドウ８０６がスクリーン２でほぼ覆われる。また、スクリーン本体２ａが引出位置Ｐ２にある状態で操作部２５を手で摘む等してドア８０２のフック部８１０からガーニッシュ２１の引掛部２２を外すと、スクリーン本体２ａを巻取軸部材３に巻き取らせることができる。
スクリーン本体２ａにおいてガーニッシュ２１とは反対側となる基端縁２ｂは、例えば両面テープにより巻取軸部材３の外周面（巻取軸本体３１の外周面３１ｏと必要に応じて端部材３２の外周面３２ｏ）に留められている。
【００２２】
図３に示す巻取軸部材３は、筒状の巻取軸本体３１、及び、端部材３２Ａ，３２Ｂを有している。端部材３２Ａには回転支持軸部材４Ａの本体部４１が挿入され、この回転支持軸部材４Ａの凸部４２が軸保持部５Ａに挿入されている。端部材３２Ｂには回転支持軸部材４Ｂの本体部４１が挿入され、この回転支持軸部材４Ｂの凸部４２が軸保持部５Ｂに挿入されている。ここで、端部材３２Ａ，３２Ｂを端部材３２と総称し、回転支持軸部材４Ａ，４Ｂを回転支持軸部材４と総称し、軸保持部５Ａ，５Ｂを軸保持部５と総称する。
【００２３】
図４は、巻取軸本体３１と端部材３２Ｂと回転支持軸部材４Ｂとを例示している。図５は、別の角度から端部材３２Ｂと巻取軸本体３１とを例示している。図示していないが、端部材３２Ａは端部材３２Ｂと同様の基部３２ｂ及び嵌入部３２ｉを有し、回転支持軸部材４Ａは回転支持軸部材４Ｂと同様の本体部４１及び凸部４２を有している。
【００２４】
巻取軸本体３１は、両端が開口した長尺な筒状部材であり、ハーフケース５０とトリム８０５とで形成される収容空間ＳＰ１の中に配置される。尚、巻取軸部材は、バレル部材等とも呼ばれる。巻取軸本体３１の両端部３１ｅには、端部材３２が取り付けられている。巻取軸本体３１の中空部３１ａには、スライド部材７２が挿入されている。
回転軸ＡＸ１に対して垂直な断面における巻取軸本体３１の外周面３１ｏの断面形状は、略円形とされている。一方、図５に示すように、巻取軸本体３１の内周部３１ｉの断面形状は、非円形とされている。内周部３１ｉには、軸方向Ｄ１に沿った溝３１ｇが複数形成されている。巻取軸本体３１が押出成形品である場合、外周面３１ｏ及び内周部３１ｉは、軸方向Ｄ１の全体にわたって略同一形状となる。図５に示す各溝３１ｇは、回転軸ＡＸ１を中心として略等間隔に配置されている。
【００２５】
巻取軸本体３１の材質は、アルミニウムといった金属が好ましいものの、熱可塑性樹脂といった合成樹脂等でもよい。巻取軸本体の大きさは、特に限定されず、例えば、溝３１ｇの底面を通る仮想円の径（内径）を４〜２０ｍｍ程度、外径を６〜３０ｍｍ程度とすることができる。
【００２６】
端部材３２は、巻取軸本体３１の外周面３１ｏに合わせられた外周面３２ｏを有する基部３２ｂ、及び、巻取軸本体３１の端部３１ｅの開口３１ｂから中空部３１ａに挿入される嵌入部３２ｉを有している。尚、端部材は、ローター、キャップ、等とも呼ばれる。端部材３２と巻取軸本体３１とは、軸方向Ｄ１及び回転方向ＤＲ１において相対移動しないように嵌合している。端部材３２には、軸方向Ｄ１へ貫通した軸受け穴３２ｈが形成されている。回転軸ＡＸ１に対して垂直な断面における軸受け穴３２ｈの断面形状は、略円形とされている。この軸受け穴３２ｈには、巻取軸部材３の端面３ａから回転支持軸部材４の本体部４１が回転軸ＡＸ１を中心として回転可能に挿入される。すなわち、筒状の端部材３２は、回転支持軸部材４に対して回転軸ＡＸ１を中心として回転可能に保持される軸受け部材として機能する。具体的には、端部材３２Ａの軸受け穴３２ｈに回転支持軸部材４Ａの本体部４１が挿入され、端部材３２Ｂの軸受け穴３２ｈに回転支持軸部材４Ｂの本体部４１が挿入される。
【００２７】
回転軸ＡＸ１に対して垂直な断面における端部材３２の軸受け穴３２ｈの断面形状は、略円形とされている。一方、図４，５に示すように、嵌入部３２ｉの外周部の断面形状は、非円形とされている。嵌入部３２ｉの外周部には、軸方向Ｄ１に沿った突条３２ｐが複数形成されている。各突条３２ｐは、各溝３１ｇに合わせて、回転軸ＡＸ１を中心として略等間隔に配置されている。各突条３２ｐが溝３１ｇに入ることにより、端部材３２が巻取軸本体３１の端部３１ｅに対して回転方向ＤＲ１へ回転不能に取り付けられる。また、突条３２ｐと溝３１ｇとの摩擦力により端部材３２が巻取軸本体の端部３１ｅに対して脱落しないように取り付けられる。
【００２８】
尚、図３に示すスライド部材７２の外周部７２ｏにも、軸方向Ｄ１に沿った突条７２ｐが複数形成されている。各突条７２ｐは、各溝３１ｇに合わせて、回転軸ＡＸ１を中心として略等間隔に配置されている。突条７２ｐと溝３１ｇとの間には、若干の隙間が設けられている。各突条７２ｐが溝３１ｇに入ることにより、スライド部材７２は巻取軸本体３１に対して回転方向ＤＲ１へ回転不能に挿入される。一方、突条７２ｐと溝３１ｇとの隙間により、スライド部材７２が巻取軸本体３１に対して軸方向Ｄ１へ摺動可能に挿入される。
【００２９】
図６Ａは、巻取装置１において軸保持部５及びその周辺を例示している。図６Ｂは、回転支持軸部材４と軸保持部５との組み付け状態を例示し、内部の構造を破線で示している。図７Ａは、回転支持軸部材４の要部を例示している。図７Ｂは、軸保持部５に含まれる第一軸保持部材５１の外観を例示している。図７Ｃは、軸保持部５に含まれる第二軸保持部材５２の外観を例示している。図８Ａは、軸保持部５が回転支持軸部材４を傾けることが可能に保持する様子を模式的に例示している。図８Ｂは、巻取装置１において回転支持軸部材４及びその周辺を模式的に例示している。
【００３０】
図３，４，７Ａ等に示す回転支持軸部材４は、回転軸ＡＸ１に沿って突出した本体部４１と、該本体部４１よりも太くされて軸保持部５に挿入された凸部４２と、を有している。
回転軸ＡＸ１に対して垂直な断面における本体部４１の断面形状は、略円形とされている。本体部４１は、略円柱状でもよいし、略円筒状でもよい。本体部４１の外径は、端部材３２の軸受け穴３２ｈの内径よりも若干小さくされている。本体部４１は、軸方向Ｄ１へ相対移動可能に端部材３２の軸受け穴３２ｈに挿入されて端部材３２を回転可能に支持する。回転支持軸部材４Ａの本体部４１が端部材３２Ａの軸受け穴３２ｈに挿入され、回転支持軸部材４Ｂの本体部４１が端部材３２Ｂの軸受け穴３２ｈに挿入されていることにより、巻取軸部材３が回転支持軸部材４に対して回転軸ＡＸ１を中心として回転可能に支持されている。
【００３１】
凸部４２の外周面４２ｏは、回転軸ＡＸ１上の仮想の支点Ｆ１を中心とする部分的な略球面の形状に形成されている。この球面の直径は、略円形の本体部４１の直径よりも大きくされている。凸部４２は、軸保持部５の凹部５３に対して軸方向Ｄ１へ出ないように挿入されている。軸保持部の凹部５３の壁面は、凸部の外周面４２ｏに合わせて、支点Ｆ１を中心とする部分的な略球面の形状に形成されている。凸部４２から突出した本体部４１は、軸保持部５の開口５４から軸方向内側Ｄ１ｉへ出ている。凸部４２は、凹部５３の壁面に接触しながら支点Ｆ１を中心として本体部４１が回転軸ＡＸ１から傾く向きに回転可能である。すなわち、回転支持軸部材４と軸保持部５は、ボールジョイント構造で接続されている。
【００３２】
また、回転支持軸部材４と軸保持部５とには、軸保持部５に対して相対的に回転支持軸部材４が回転軸ＡＸ１を中心として回転することを規制する規制構造６が設けられている。図６Ａ，６Ｂ，７Ａ〜７Ｃ等に示す規制構造６は、回転支持軸部材４に形成された嵌合凸部６１、及び、軸保持部５に形成された複数の嵌合孔６２を有している。図７Ａ等に示す嵌合凸部６１は、回転支持軸部材４の軸方向外側Ｄ１ｏの端面４２ｅ、すなわち、凸部４２において本体部４１側とは反対側の端面４２ｅに複数形成されている。各嵌合凸部６１が嵌合孔６２に挿入されて軸保持部５と嵌合することにより、凸部４２が回転軸ＡＸ１を中心として回転しないように凹部５３に配置される。図７Ａ等に示す嵌合凸部６１は、回転軸ＡＸ１を中心として四方に向かうように、すなわち、９０°間隔に配置されている。図６Ａ等に示す嵌合孔６２は、回転軸ＡＸ１を中心として十字状に形成されている。従って、軸保持部５に対して相対的に回転支持軸部材４が回転しないように確実に保持される。
【００３３】
上記軸保持部５は、回転支持軸部材４Ａを傾動可能に保持する軸保持部５Ａ、及び、回転支持軸部材４Ｂを傾動可能に保持する軸保持部５Ｂを有し、ハーフケース５０に取り付けられている。図１，２等に示すケース５０は、軸方向Ｄ１における両端部に壁部５０ｗを有し、また、開口部５０ｏが形成された側面部５０ｓを有している。ケース５０の車室Ｃ１側にトリム８０５が合わせられることにより、スクリーン本体２ａを引き出すためのスリット状の引出部５０ｄに繋がる内部空間ＳＰ１が形成される。尚、「側面」には角柱、円柱、等の底面以外の面という意味があるように、側面部５０ｓはケース５０において巻取軸部材３の周りにある部位を意味する。図６Ａに示すように、側面部５０ｓには、軸保持部５の爪部５２ａを係止するための係止孔５０ｈが複数形成されている。これらの係止孔５０ｈは、ケース５０に固定される別部材に形成されてもよい。ケース５０には、合成樹脂の射出成形品といった成形品等を用いることができる。この合成樹脂には、ポリプロピレン（ＰＰ）、ポリエチレン（ＰＥ）、ポリアミド、といった熱可塑性樹脂等を用いることができ、補強用繊維等といった添加材が添加されてもよい。これにより、軽量で安価にケースを形成することができる。
【００３４】
図６Ａ等に示す軸保持部５は、第一軸保持部材５１と第二軸保持部材５２を有し、ケース５０に取り付けられている。第一軸保持部材５１と第二軸保持部材５２とは、ボルト５５ａとナット５５ｂで凹部５３を形成するように合わせられ、係止孔５０ｈを通った爪部５２ａが側面部５０ｓ、又は、ケース５０に固定される別部材に係止されることによりケース５０に固定される。ボルト５５ａとナット５５ｂは、締結手段５５の例である。むろん、軸保持部を実質的に二分割するのは一例に過ぎず、軸保持部を実質的に３以上に分割してもよい。
【００３５】
第一軸保持部材５１には、凹部５３の一部である凹部５３１、嵌合孔６２の一部である嵌合孔６２１、及び、ボルト挿通孔５１ｈが形成されている。第二軸保持部材５２には、爪部５２ａ、凹部５３の一部である凹部５３２、嵌合孔６２の一部である嵌合孔６２２、及び、ボルト挿通孔５２ｈが形成されている。回転支持軸部材４の嵌合凸部６１を嵌合孔６２１，６２２に合わせ、回転支持軸部材４の凸部４２を凹部５３１，５３２で挟み、ボルト挿通孔５１ｈ，５２ｈにボルト５５ａを通してナット５５ｂを螺合すると、図６Ｂに示すように、回転支持軸部材４が傾動可能に軸保持部５に保持される。すなわち、軸保持部５は、凸部４２が軸方向Ｄ１へ出ないように挿入された凹部５３を有し、該凹部５３から出た本体部４１を傾けることが可能となるように回転支持軸部材４を支持する。回転支持軸部材４の本体部４１を巻取軸部材３の端部材３２の軸受け穴３２ｈに挿入した状態で爪部５２ａを係止孔５０ｈに挿入して側面部５０ｓ、又は、ケース５０に固定される別部材に係止させると、図６Ａに示すような巻取装置１が形成される。
【００３６】
上述した端部材３２、スライド部材７２、回転支持軸部材４、第一軸保持部材５１、及び、第二軸保持部材５２には、合成樹脂の射出成形品といった成形品等を用いることができる。この合成樹脂には、ポリブチレンテレフタレート（ＰＢＴ）、ポリアミド、ポリプロピレン（ＰＰ）、ポリアセタール（ＰＯＭ）、といった熱可塑性樹脂等を用いることができ、補強用繊維等といった添加材が添加されてもよい。また、巻取軸部材３の回転による異音を抑制するため、端部材３２と回転支持軸部材４とを異なる材質で形成してもよい。
【００３７】
図３に示す付勢部７は、巻取軸本体３１の中空部３１ａに挿入されたばね（弾性部材の例）７１、及び、上述したスライド部材７２を有し、回転支持軸部材４に対して相対的に巻取方向ＤＲ１へ巻取軸部材３を付勢する。図３に示すばね７１は、コイルばねであり、一方の端部７１ａがスライド部材７２に取り付けられ、他方の端部７１ｂが回転支持軸部材４Ｂの本体部４１に取り付けられている。コイルばねは、コイルスプリング、つる巻きばね、等とも呼ばれる。尚、ばね７１と巻取軸本体３１との間に防音用のチューブを入れてもよい。ばね７１の付勢力によりスクリーン本体２ａが巻き取られる時、スライド部材７２、及び、ばね７１の端部７１ａが巻取軸部材３とともに巻取方向ＤＲ１へ回転する。また、スクリーン本体２ａを引き出す時、スライド部材７２、及び、ばね７１の端部７１ａが巻取軸部材３とともに巻取方向ＤＲ１とは反対方向へ回転し、巻取方向ＤＲ１への付勢力が大きくなる。通常、巻取軸部材３は、スクリーン本体２ａが収容空間ＳＰ１に収納されてもスクリーン２に巻取方向ＤＲ１への付勢力を加える状態で収容空間ＳＰ１に配置される。
【００３８】
尚、ばね７１は、渦巻きばね等でもよい。弾性部材は、エラストマー、ゴム、等でもよい。さらに、モーター駆動によりスクリーンの引き出しや巻き取りを行う電動タイプ、巻取軸に付勢機構が無く手動でスクリーンを巻き取る場合、等も、本技術に含まれる。
【００３９】
（３）具体例に係る巻取装置の作用、及び、効果：
ところで、ケースをアルミニウム等の金属で形成すると、剛性が比較的高く、熱や荷重等による変形が生じ難い一方、重量が増大してしまう。軽量化させるためにケースを樹脂材料で形成すると、ケースが比較的撓み易く、熱や荷重等によりケースが変形することがある。図９Ａは、樹脂製ケース９５０が変形した状態の巻取装置９０１の例を模式的に誇張して示している。
【００４０】
ここで、図９Ｂに示す比較例のように、巻取軸部材３の端部材３２の軸受け孔３２ｈに挿入される回転支持軸部材９０４の軸方向外側Ｄ１ｏの端部９４１が例えばケース９５０の壁部９０５に固定されているものとする。この場合、ケース９５０の変形により回転支持軸部材９０４の向きが巻取軸部材３の軸方向Ｄ１からずれ、回転支持軸部材９０４に対して巻取軸部材３が回転する際の抵抗（摩擦力）が大きくなることがある。すると、スクリーン本体２ａをケース９５０から引き出し難くなったり、スクリーン本体２ａが巻取軸部材３に巻き取られ難くなったりする。このような現象は、軸方向Ｄ１においてケース９５０が長尺になる場合に顕著となり易く、ケース９５０が長尺であれば金属製であっても生じることがある。
【００４１】
一方、本具体例の巻取装置１は、図８Ａに示すように、巻取軸部材３の端部を回転可能に支持する回転支持軸部材４が軸保持部５に対して傾動可能に保持されている。図８Ｂは、ケース５０が変形していない状態の巻取装置１の要部を模式的に例示している。ここで、熱や荷重等によりケース５０が変形しても、図８Ｃに示すように、回転支持軸部材４の本体部４１の向きが巻取軸部材３の回転軸ＡＸ１に合わせられる。尚，図８Ｃは、ケース５０が変形した状態の巻取装置１の要部を模式的に誇張して例示している。
【００４２】
以上より、回転支持軸部材４に対して巻取軸部材３が回転する際の抵抗（摩擦力）が大きくなり難くなり、スクリーン本体２ａをケース５０から円滑に引き出すことができ、巻取軸部材３にスクリーン本体２ａが円滑に巻き取られる。このように、本具体例は、熱や荷重等によりケース５０が変形しても、巻取軸部材の円滑な回転が維持される。その結果、ケースを軽量化することができ、コストを低減させることができる。
【００４３】
また、規制構造６により回転支持軸部材４が軸保持部５に対して回転軸ＡＸ１を中心として回転しないようにされているので、巻取軸本体３１に挿入されたばね７１により巻取軸部材３を巻取方向ＤＲ１へ容易に付勢することができる。
さらに、回転支持軸部材４が軸方向Ｄ１へ相対移動可能に巻取軸部材３の端部に挿入されているので、巻取軸部材を回転可能に支持する構造が小さくて済むうえ、軸方向Ｄ１へ伸縮する変形がケース５０に生じても巻取軸部材の円滑な回転が維持される。
【００４４】
（４）変形例：
本発明は、種々の変形例が考えられる。
サンシェード装置としての巻取装置の設置箇所は、サイドウインドウ以外にも、リヤウインドウ、ルーフウインドウ、フロントウインドウ、等でもよい。巻取装置は、トノカバー装置等でもよい。スクリーンの引出方向は、上方以外にも、下方、水平方向、等でもよい。
巻取軸部材を設ける箇所は、ハーフケース以外にも、巻取軸のほぼ全周を囲むケースでもよいし、ドアトリムといったトリムでもよい。
【００４５】
回転支持軸部材は、巻取軸部材の端部に挿入されて巻取軸部材を回転可能に支持する以外にも、例えば、巻取軸部材の細くした端部が回転支持軸部材に挿入されることにより巻取軸部材を回転可能に支持してもよい。
回転支持軸部材の凸部の外周面は、球面に限定されず、球を除く楕円体の表面のような曲面等でもよい。軸保持部の凹部の壁面も、球状の凹部の壁面に限定されず、球状を除く楕円体状の凹部の壁面等でもよい。また、軸保持部が回転支持軸部材を傾けることが可能に保持する構造は、ボールジョイント構造に限定されない。
回転支持軸部材の嵌合凸部は、上述した形状に限定されず、様々な形状を採用可能である。軸保持部の嵌合孔も、上述した形状に限定されず、様々な形状を採用可能である。また、規制構造６は、回転支持軸部材の嵌合凸部と軸保持部の嵌合孔との組合せに限定されず、例えば、軸保持部に形成された嵌合凸部と回転支持軸部材に形成された嵌合凹部との組合せ等でもよい。むろん、規制構造６の無い巻取装置にも、本技術を適用可能である。
さらに、回転支持軸部材４と軸保持部５の組合せは、巻取軸部材３の両端部にあると巻取軸部材の円滑な回転を維持するのに好ましいものの、巻取軸部材３の一方の端部にしかなくても本技術の基本的な作用及び効果が得られる。
【００４６】
（５）結び：
以上説明したように、本発明によると、種々の態様により、巻取軸部材の円滑な回転を維持することが可能な巻取装置等の技術を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００４７】
１…巻取装置、
２…スクリーン、２ａ…スクリーン本体、２ｂ…基端縁（スクリーンの一端の例）、
３…巻取軸部材、４，４Ａ，４Ｂ…回転支持軸部材、５，５Ａ，５Ｂ…軸保持部、
６…規制構造、７…付勢部、
３１…巻取軸本体、３１ａ…中空部、３１ｂ…開口、３１ｅ…端部、３１ｇ…溝、
３２，３２Ａ，３２Ｂ…端部材、３２ｂ…基部、３２ｈ…軸受け穴、３２ｉ…嵌入部、
４１…本体部、４２…凸部、４２ｅ…端面、４２ｏ…外周面、
５０…ケース、５０ｄ…引出部、５０ｈ…係止孔、５０ｓ…側面部、５０ｗ…壁部、
５１…第一軸保持部材、５２…第二軸保持部材、５２ａ…爪部、
５３，５３１，５３２…凹部、５４…開口、
６１…嵌合凸部、６２，６２１，６２２…嵌合孔、
７１…ばね、７２…スライド部材、
ＡＸ１…回転軸、Ｃ１…車室、
Ｄ１…軸方向、Ｄ１ｉ…軸方向内側、Ｄ１ｏ…軸方向外側、Ｆ１…支点。
【図１】
2018002031.tif 000003
【図２】
2018002031.tif 000004
【図３】
2018002031.tif 000005
【図４】
2018002031.tif 000006
【図５】
2018002031.tif 000007
【図６】
2018002031.tif 000008
【図７】
2018002031.tif 000009
【図８】
2018002031.tif 000010
【図９】
2018002031.tif 000011